(57)【要約】【課題】  各種の大きさや形の被防振体に柔軟に対応することができる上、全体の高さをより低くすることができ、しかも、組立がより簡単な防振装置を提供する。【解決手段】  上面が開口した扁平な枠体１３の底内面に、プリンタを支持するための支持体１４を支持するとともに、この支持体１４と枠体１３の内壁面との間に横振動吸収体１８を設けた。支持体１４を充実体のゴム体１５より形成し、その底面及び二側面には枠体１３の底内面及び幅方向両内壁面に摺接する摺動用フィルム１６を貼着する。そして、枠体１３がテーブル１１上に設された状態で、プリンタの脚ゴム１０ａが支持体１４上に載置される。【選択図】      図１
2006071044.tif 000002
【特許請求の範囲】
【請求項１】
被防振体と、この被防振体が設置される設置部との間に配置される防振装置であって、
上面が開口した枠状体内に同枠状体の内底面に対し横振動方向に相対移動可能な支持体を設置するとともに、同支持体と枠状体の内壁面との間に横振動吸収体を設け、同枠状体が前記設置部上に設置された状態で前記被防振体が同支持体上に載置されるようにしたことを特徴とする防振装置。
【請求項２】
前記枠状体と前記支持体との間には、同枠状体に対して同支持体が前記横振動方向に相対移動するときの摩擦を低減する摩擦低減部材が設けられていることを特徴とする請求項１に記載の防振装置。
【請求項３】
前記支持体には、同支持体に対する前記被防振体の横振動方向の滑りを抑制するための滑り抑制部が設けられていることを特徴とする請求項１又は請求項２に記載の防振装置。
【請求項４】
前記横振動吸収体は、合成樹脂の発泡体からなることを特徴とする請求項１〜請求項３のいずれか一項に記載の防振装置。
【請求項５】
前記支持体の上面に前記被防振体の脚を受けるための凹部を形成したことを特徴とする請求項１〜請求項４のいずれか一項に記載の防振装置。
【発明の詳細な説明】
【技術分野】
【０００１】
この発明は、例えばプリンタ等の被防振体と、この被防振体が設置されるテーブル、ラック、フロア等の設置部との間に配置され、主として被防振体が発生する横振動を吸収するための防振装置に関する。
【背景技術】
【０００２】
この種の防振装置としては、例えば特許文献１に開示されるものがある。この防振装置では、テーブル等に設置される下台板の上側に戸車を介して上台板が配置され、この上台板の上にプリンタが載置される。そして、プリンタ作動時に発生するプリンタの横振動は、下台板と上台板との間に設けられた弾性部材によって吸収され、テーブルの横振動が抑制される。
【０００３】
また、特許文献２に開示された防振装置では、テーブル等に設置される箱状の基台の上側に回転輪及びレールを介して箱状の可動枠が支持され、この可動枠の上にプリンタが載置される。可動枠は、基台に被さるように構成されている。そして、プリンタ作動時に発生するプリンタの横振動は、基台と可動枠とをそれらの中央部分で上下方向に連結する弾性部材によって吸収され、テーブルの横振動が抑制される。
【特許文献１】特開平５−８５０１６号公報
【特許文献２】特開平７−３１４８５４号公報
【発明の開示】
【発明が解決しようとする課題】
【０００４】
ところで、上記特許文献１，２のものは、戸車、回転輪及びレールを用いているため、小型化できない。このため、特許文献１，２では、プリンタとほぼ同じ大きさのものとして具体化されている。従って、プリンタの形や大きさが異なると対応できない場合もあり、汎用性に乏しい。また、特許文献１のものでは、上下に配設された下台板と上台板との間に弾性部材を介在させているので、防振装置の高さが高くなる。防振装置の高さが高いと、テーブル上におけるプリンタの高さが高くなり、プリンタの使い勝手が悪くなるとともにプリンタが不安定になって振幅が大きくなる問題がある。一方、上記特許文献２においては、箱状の基台の底内面と箱状の可動枠の頂下面とに対して弾性部材を接着するので、防振装置の高さを低くできないばかりでなく、回転輪やレール等により部品点数が多くなり、組立が難しい問題がある。
【０００５】
この発明は、上記のような従来の問題点を解消して、各種の大きさや形の被防振体に柔軟に対応することができる上、全体の高さをより低くすることができ、しかも、組立がより簡単な防振装置を提供することにある。
【課題を解決するための手段】
【０００６】
上記目的を達成するため、請求項１に記載の発明は、被防振体と、この被防振体が設置される設置部との間に配置される防振装置であって、上面が開口した枠状体内に同枠状体の内底面に対し横振動方向に相対移動可能な支持体を設置するとともに、同支持体と枠状体の内壁面との間に横振動吸収体を設け、同枠状体が前記設置部上に設置された状態で前記被防振体が同支持体上に載置されるようにしたことを特徴とする。ここで、「上面が開口した枠状体」とは、上面が開口した箱状のものと、外周の各辺の少なくとも一部に周壁が設けられた板状のものと含む。
【０００７】
請求項２に記載の発明は、請求項１に記載の発明において、前記枠状体と前記支持体との間には、同枠状体に対して同支持体が前記横振動方向に相対移動するときの摩擦を低減する摩擦低減部材が設けられていることを特徴とする。
【０００８】
請求項３に記載の発明は、請求項１又は請求項２に記載の発明において、前記支持体には、同支持体に対する前記被防振体の横振動方向の滑りを抑制するための滑り抑制部が設けられていることを特徴とする。
【０００９】
請求項４に記載の発明は、請求項１〜請求項３のいずれか一項に記載の発明において、前記横振動吸収体は、合成樹脂の発泡体からなることを特徴とする。
請求項５に記載の発明は、請求項１〜請求項４のいずれか一項に記載の発明において、前記支持体の上面に前記被防振体の脚を受けるための凹部を形成したことを特徴とする。
【発明の効果】
【００１０】
本発明によれば、上面が開口した枠状体の内底面に、被防振体を支持するための支持体を支持するとともに、この支持体と枠状体の内壁面との間に横振動吸収体を設けたことにより、前述した従来のものとは異なり、戸車等が不要になり、全体を著しく小型化できる。従って、本発明の防振装置は、プリンタ等の被防振体の四隅において被防振体を支持すればよく、各種の大きさや形の被防振体に柔軟に対応できる。加えて、全体の高さを低くすることができ、しかも、部品点数を減らすことができて、組立がより簡単になる。
【発明を実施するための最良の形態】
【００１１】
（第１実施形態）
次に、本発明を具体化した第１実施形態を図１及び図２に従って説明する。
図２（ａ），（ｂ）に示すように、被防振体としてのプリンタ１０は、図示しない床面上に設置された設置部としてのテーブル１１上に、この実施形態の防振装置１２を介して設置されている。防振装置１２は、プリンタ１０の四隅の脚ゴム（脚）１０ａ毎にそれぞれ設置されている。プリンタ１０は、図示しないキャリッジの方向転換に伴い、キャリッジの左右移動方向に沿った方向（横振動方向）に横振動する。各防振装置１２は、プリンタ１０の横振動を吸収する。
【００１２】
次に、防振装置１２の詳細について説明する。
図１（ａ），（ｂ）に示すように、この防振装置１２においては、上面が開口した上面視長方形の扁平な枠体（枠状体）１３の内底面上に、この枠体１３に対しその長手方向にのみ相対移動可能な状態で上面視長方形の支持体１４が配置されている。枠体１３は、ステンレス等の金属、又は、合成樹脂から形成されている。また、テーブル１１に対する枠体１３の滑りを防止するために、枠体１３の下面にエラストマー等からなる摩擦係数の大きな滑り防止板を貼着した構成としてもよい。支持体１４の長さは枠体１３の長手方向内寸法よりも小さくされ、支持体１４の幅は枠体１３の幅方向内寸法とほぼ等しい。この防振装置１２は、プリンタ１０の横振動方向に対し、枠体１３の長手方向を一致させた状態で使用される。従って、支持体１４は、枠体１３内において、プリンタ１０の横振動方向にのみ相対移動可能な状態で配置されている。
【００１３】
前記支持体１４は充実体のゴム体１５を主材とし、このゴム体１５の底面及び二側面には、フッ素樹脂等の低摩擦材からなる摺動用フィルム１６（摩擦低減部材）が貼着されている。これにより、支持体１４は、摺動用フィルム１６を介して枠体１３の内底面及び幅方向両内壁面に対して円滑に摺接可能となっている。また、ゴム体１５の上面には、プリンタ１０の脚ゴム１０ａとゴム体１５の上面とを貼着して、プリンタ１０と支持体１４との間の滑りを防止するための両面テープ（滑り抑制部）１７が貼着されている。なお、両面テープ１７の代わりに、ゴム体１５の上面に粘着剤を塗布しておいてもよい。
【００１４】
枠体１３の長手方向における枠体１３の内壁面と支持体１４との間には、それぞれ横振動吸収体１８が介在されている。これにより、支持体１４は枠体１３に対し両横振動吸収体１８を介して前記横振動方向に支持されている。横振動吸収体１８は、高分子材料である発泡ウレタン等の発泡体からなる。
【００１５】
さて、上記のように構成された防振装置１２は、その枠体１３がテーブル１１上に設置され、プリンタ１０の脚ゴム１０ａが支持体１４の上面に載置された状態で使用される。このとき、各防振装置１２は、枠体１３の長手方向をプリンタ１０の左右方向に一致させた状態でテーブル１１上に設置される。この状態でプリンタ１０が作動すると、キャリッジの方向転換毎にプリンタ１０が主にキャリッジの移動方向に沿った方向に横振動する。このプリンタ１０の横振動は、支持体１４に伝達され、両横振動吸収体１８の弾性伸縮によって吸収される。このため、プリンタ１０の横振動に伴うテーブル１１の横振動が抑制される。また、プリンタ１０の作動に伴って発生する縦振動は、充実体からなるゴム体１５の弾性伸縮によって吸収される。この結果、プリンタ１０の縦振動に伴うテーブル１１の縦振動も抑制される。さらに、地震が生じた場合、その横振動は、横振動吸収体１８の弾性伸縮により吸収され、プリンタ１０の横振動が抑制される。
【００１６】
本実施形態は、次の各効果を有する。
（１）  この実施形態の防振装置１２は、扁平な枠体１３内に板状の支持体１４と横振動吸収体１８を設けただけであるから、著しく小型化される。このため、プリンタ１０等の被防振体の四隅において被防振体を支持すればよく、各種の大きさや形の被防振体に柔軟に対応できる。
【００１７】
（２）  この実施形態では、上面が開口した扁平な枠体１３の内底面に、プリンタ１０を支持するための支持体１４を支持するとともに、この支持体１４と枠体１３の内壁面との間に横振動吸収体１８を設けた。従って、支持体１４、横振動吸収体１８等が上下に重ならないので、全体の高さを低くすることができる。しかも、構成部品は、枠体１３、支持体１４、横振動吸収体１８だけで、枠体１３内に支持体１４及び横振動吸収体１８を併設状態に配置すればよく、組立がより簡単となる。
【００１８】
（３）  支持体１４には、枠体１３に対して支持体１４が横振動方向に相対移動するときの摩擦を低減する摺動用フィルム１６を貼着した。このため、プリンタ１０の横振動に伴って支持体１４が横方向に円滑に移動し、プリンタ１０の横振動が横振動吸収体１８により確実に吸収される。
【００１９】
（４）  プリンタ１０の各脚ゴム１０ａは、支持体１４の上面に対し両面テープ１７によって固定されている。このため、プリンタ１０が横振動するときに、脚ゴム１０ａが支持体１４に対して横振動方向に滑ることがない。この結果、作動中のプリンタ１０が防振装置１２から落ちることがない。
【００２０】
（第２実施形態）
次に、本発明を具体化した第２実施形態を図３に従って説明する。尚、この第２実施形態については、前記第１実施形態と異なる構成及び作用を主に説明する。
【００２１】
図３（ａ），（ｂ）に示すように、この防振装置１２において、前記枠体１３の幅方向内寸法は、前記支持体１４の幅よりも所定寸法だけ大きくされている。そして、支持体１４は、枠体１３内において、枠体１３の長手方向（すなわちプリンタ１０の横振動方向）に加え、枠体１３の幅方向にも所定距離の相対移動が可能となっている。但し、支持体１４が枠体１３に対し幅方向に相対移動可能な距離は、同長手方向に相対移動可能な距離よりも小さくされている。
【００２２】
本実施形態の支持体１４においては、前記第１実施形態の支持体１４と異なり、上面が開口した上面視長方形の枠体２０内に前記ゴム体１５が収容されている。そして、このゴム体１５には、摺動用フィルム１６は貼着されていない。支持体１４は、枠体１３の底面に配設された４つのボールキャスタ２１（摩擦低減部材）により、枠体１３に対し前後左右の横方向に相対移動可能な状態で支持されている。なお、このゴム体１５の上面には、両面テープ１７は貼着されておらず、ゴム体１５自体の粘着性によりプリンタ１０の脚ゴム１０ａの滑りが抑制される。
【００２３】
前記横振動吸収体１８は、全体として四角環状をなし、枠体１３の長手方向における枠体１３と支持体１４との間に加え、枠体１３の幅方向における枠体１３の内壁面と支持体１４との間にも介在されている。従って、支持体１４は、枠体１３に対し、第１実施形態の横振動方向に加え、横振動方向に対して直交する横方向においても横振動吸収体１８を介して支持されている。
【００２４】
さて、本実施形態においても、プリンタ１０の横振動は、枠体１３に対する支持体１４の横振動方向での相対移動を通じた両横振動吸収体１８の弾性伸縮によって吸収される。また、プリンタ１０の縦振動は、ゴム体１５の弾性伸縮によって吸収される。さらに、プリンタ１０が、前記横振動方向に直交する横方向にも振動した場合、横振動吸収体１８の同方向の弾性伸縮によって吸収される。このため、プリンタ１０の横振動方向に直交する横方向におけるテーブル１１の横振動も抑制される。地震の横振動も横振動吸収体１８によって吸収され、プリンタ１０の横振動が抑制される。
【００２５】
従って、この実施形態も、前記第１実施形態と同じ効果を有する。
（変形例）
なお、本実施形態は、次のように変更して具体化することもできる。
【００２６】
・  ゴム体１５に代えて、熱可塑性エラストマーの充実体とした構成を用いる。この場合は、熱可塑性エラストマーの粘着性により、支持体１４に対する脚ゴム１０ａの横振動方向での滑りを防止することができる。
【００２７】
・  摺動用フィルム１６を、ゴム体１５の底面及び二側面に貼着せず、枠体１３の内底面及び幅方向両内壁面に貼着した構成とする。また、ゴム体１５の底面及び二側面と、枠体１３の内底面及び幅方向両内壁面との両方に貼着した構成とする。
【００２８】
・  図３に二点鎖線で示すように、ゴム体１５の上面に、プリンタ１０の脚ゴム１０ａを受けるための凹部１５ａを設けた構成とする。この場合には、作動中のプリンタ１０が防振装置１２から落ちることを確実に防止することができる。
【００２９】
・  横振動吸収体として、合成樹脂の発泡体からなる横振動吸収体１８に代えて、フェルトや、複数枚の不織布をブロック状に圧縮成形したものを用いた構成とする。すなわち、圧縮により変形するものであればよい。また、圧縮コイルばね又は板ばねを用いた構成としてもよい。
【００３０】
・  枠体１３に代えて、外周に周壁が設けられた基板を用いた構成とする。この周壁は、支持体１４を横振動方向に案内するものと、両横振動吸収体１８を保持するものとが設けられていればよく、基板の外周全体に設けられていなくてもよい。
【図面の簡単な説明】
【００３１】
【図１】（ａ）は第１実施形態の防振装置を示す平面図、（ｂ）は同じく縦断面図。
【図２】（ａ）はテーブル上のプリンタを示す正面図、（ｂ）は同じく平面図。
【図３】（ａ）は第２実施形態の防振装置を示す平面図、（ｂ）は同じく縦断面図。
【符号の説明】
【００３２】
１０…被防振体としてのプリンタ、１０ａ…脚としての脚ゴム、１１…設置部としてのテーブル、１２…防振装置、１３…枠状体としての枠体、１４…支持体、１５ａ…凹部、１６…摩擦低減部材としての摺動用フィルム、１７…滑り抑制部としての両面テープ、１８…合成樹脂の発泡体としての横振動吸収体、２１…摩擦低減部材としてのボールキャスタ。
【図１】
2006071044.tif 000003
【図２】
2006071044.tif 000004
【図３】
2006071044.tif 000005